(57)【要約】【課題】従来にはない遊技状態の組み合せパターンを実現し、新規なゲーム性の弾球遊技機を提供する。【解決手段】主制御基板２３には、少なくとも、二種類定められた抽選確率のうちいずれを特別図柄抽選に適用するかを決める特別図柄確率変動フラグと、二種類定められた第一時間選択テーブルのうちいずれを適用するかを決める特別図柄変動時間短縮フラグと、二種類定められた抽選確率のうちいずれを普通図柄抽選に適用するかを決める普通図柄確率変動フラグと、二種類定められた第二時間選択テーブルのうちいずれを適用するかを決める普通図柄変動時間短縮フラグと、二種類定められた時間のうちいずれを普通電動役物の開放時間に適用するかを決める開放延長機能作動フラグとが定義され、各フラグのＯＮ／ＯＦＦの組み合せにより３２種類の遊技状態を出現させる。【選択図】図５
2008125582.tif 000002
【特許請求の範囲】
【請求項１】
特別図柄始動口と、
普通図柄始動口と、
特別図柄始動口を開放又は拡大させる普通電動役物と、
特別図柄始動口に対する遊技球の入賞に応じて、大当り状態を発生させるか否かという特別図柄抽選を行うと共に、普通図柄始動口に対する遊技球の入賞に応じて、普通電動役物を開放動作させるか否かという普通図柄抽選を行う制御部と、
特別図柄抽選が行われた後から計時される時間が第一時間に達した際に、制御部によって抽選結果の表示がなされる特別図柄表示部と、
普通図柄抽選が行われた後から計時される時間が第二時間に達した際に、制御部によって抽選結果の表示がなされる普通図柄表示部と
を備える弾球遊技機において、
前記制御部には、少なくとも、
二種類定められた抽選確率のうちいずれを特別図柄抽選に適用するかを決める特別図柄確率変動フラグと、
特別図柄抽選によって大当り状態を発生させないという決定がされた際に、二種類定められた第一時間選択テーブルのうちいずれを適用するかを決める特別図柄変動時間短縮フラグと、
二種類定められた抽選確率のうちいずれを普通図柄抽選に適用するかを決める普通図柄確率変動フラグと、
普通図柄抽選によって前記開放動作させるという決定がされた際に、二種類定められた第二時間選択テーブルのうちいずれを適用するかを決める普通図柄変動時間短縮フラグと、
二種類定められた時間のうちいずれを普通電動役物の開放時間に適用するかを決める開放延長機能作動フラグと、が定義されており、
制御部は、
各フラグのＯＮ／ＯＦＦの組み合せにより３２種類の遊技状態を出現させることが可能であって、その中から任意の遊技状態を選択的に出現させる
ことを特徴とする弾球遊技機。
【請求項２】
特別図柄始動口と、
普通図柄始動口と、
特別図柄始動口を開放又は拡大させる普通電動役物と、
特別図柄始動口に対する遊技球の入賞に応じて、大当り状態を発生させるか否かという特別図柄抽選を行うと共に、普通図柄始動口に対する遊技球の入賞に応じて、普通電動役物を開放動作させるか否かという普通図柄抽選を行う制御部と、
特別図柄抽選が行われた後から計時される時間が第一時間に達した際に、制御部によって抽選結果の表示がなされる特別図柄表示部と、
普通図柄抽選が行われた後から計時される時間が第二時間に達した際に、制御部によって抽選結果の表示がなされる普通図柄表示部と
を備える弾球遊技機において、
前記制御部には、少なくとも、
二種類定められた抽選確率のうちいずれを特別図柄抽選に適用するかを決める特別図柄確率変動フラグと、
特別図柄抽選によって大当り状態を発生させないという決定がされた際に、二種類定められた第一時間選択テーブルのうちいずれを適用するかを決める特別図柄変動時間短縮フラグと、
二種類定められた抽選確率のうちいずれを普通図柄抽選に適用するかを決める普通図柄確率変動フラグと、
普通図柄抽選によって前記開放動作させるという決定がされた際に、二種類定められた第二時間選択テーブルのうちいずれを適用するかを決める普通図柄変動時間短縮フラグと、
二種類定められた時間のうちいずれを普通電動役物の開放時間に適用するかを決める開放延長機能作動フラグと、が定義されており、
制御部は、
普通図柄確率変動フラグ、普通図柄変動時間短縮フラグ及び開放延長機能作動フラグが、全てＯＮ、全てＯＦＦ以外の遊技状態を出現させる
ことを特徴とする弾球遊技機。
【請求項３】
前記制御部は、
特別図柄確率変動フラグがＯＮ、
特別図柄変動時間短縮フラグがＯＦＦ、
普通図柄確率変動フラグがＯＮ、
普通図柄変動時間短縮フラグがＯＦＦ、
開放延長機能作動フラグがＯＦＦ
という組み合せからなる遊技状態を出現させる
ことを特徴とする請求項２記載の弾球遊技機。
【発明の詳細な説明】
【技術分野】
【０００１】
本発明は、特別図柄抽選及び普通図柄抽選を行うパチンコ遊技機などの弾球遊技機に関する。
【背景技術】
【０００２】
従来から、複数の遊技状態を備え、所定の条件が成立した場合に遊技状態を切換える弾球遊技機が知られている。例えば、始動口（特別図柄始動口）と、ゲート（普通図柄始動口）と、始動口を開放又は拡大させる普通電動役物とを備え、始動口に対する遊技球の入賞（通過も含む）に応じて、大当り状態を発生させるか否かという特別図柄抽選を行うと共に、ゲートに対する遊技球の入賞（通過も含む）に応じて、普通電動役物を開放動作させるか否かという普通図柄抽選を行うパチンコ遊技機は、遊技状態として例えば通常状態、確率変動状態、隠れ確率変動状態及び時間短縮状態を備え、特別図柄抽選における大当りの発生などを契機として遊技状態を切換えるようになっている。
【０００３】
通常状態は、特別図柄抽選に適用する抽選確率を低確率にすると共に、特別図柄変動時間を総じて長くなるようにし、さらに、始動口への入賞容易性を高くしない遊技状態である。
また、確率変動状態は、特別図柄抽選に適用する抽選確率を高確率にすると共に、特別図柄変動時間を総じて短くなるようにし、さらに、始動口への入賞容易性を高くする遊技状態である。
また、隠れ確率変動状態は、特別図柄抽選に適用する抽選確率を高確率にすると共に、特別図柄変動時間を総じて長くなるようにし、さらに、始動口への入賞容易性を高くしない遊技状態である。
また、時間短縮状態は、特別図柄抽選に適用する抽選確率を低確率にすると共に、特別図柄変動時間を総じて短くなるようにし、さらに、始動口への入賞容易性を高くする遊技状態であり、且つ所定回数分の特別図柄抽選が終了した際に終了する遊技状態である。
【０００４】
従来、始動口への入賞容易性を高くする方法としては、２つの方法が使用されている。
第一の方法は、普通図柄抽選の抽選確率を変えずに、普通図柄変動時間及び普通電動役物の開放時間を変更する方法であり、具体的には、普通図柄変動時間を総じて短くすると共に、普通電動役物の開放時間を延長させる（例えば、特許文献１参照）。
また、第二の方法は、普通図柄抽選の抽選確率、普通図柄変動時間及び普通電動役物の開放時間を変更する方法であり、具体的には、普通図柄抽選の抽選確率を高確率にすると共に、普通図柄変動時間を総じて短くし、さらに、普通電動役物の開放時間を延長させる。
【特許文献１】特許第３７４１７５５号公報
【発明の開示】
【発明が解決しようとする課題】
【０００５】
しかしながら、従来の弾球遊技機では、特別図柄変動時間を総じて短くするか否かと、始動口への入賞容易性を高くするか否かを別々に管理するものとはなっていないため、遊技状態のバリエーションが最大でも４つであった。そのため、遊技状態の組み合せパターンが限られており、新規なゲーム性の創造が困難なものとなっていた。また、始動口への入賞容易性を高くする方法が２つしかなく、いずれかの方法が用いられていたため、始動口への入賞容易性が高くなる遊技状態が画一的で面白味のないものとなっていた。
さらに、従来の４つの遊技状態は、遊技者が一義的に判断できるものと、判断が困難なものとに二分されているため、現在どの遊技状態であるかを遊技者に考えさせるような攻略的な面白味を付加することは困難であった。
【課題を解決するための手段】
【０００６】
本発明は、上記の如き実情に鑑みこれらの課題を解決することを目的として創作されたものであって、特別図柄始動口と、普通図柄始動口と、特別図柄始動口を開放又は拡大させる普通電動役物と、特別図柄始動口に対する遊技球の入賞に応じて、大当り状態を発生させるか否かという特別図柄抽選を行うと共に、普通図柄始動口に対する遊技球の入賞に応じて、普通電動役物を開放動作させるか否かという普通図柄抽選を行う制御部と、特別図柄抽選が行われた後から計時される時間が第一時間に達した際に、制御部によって抽選結果の表示がなされる特別図柄表示部と、普通図柄抽選が行われた後から計時される時間が第二時間に達した際に、制御部によって抽選結果の表示がなされる普通図柄表示部とを備える弾球遊技機において、前記制御部には、少なくとも、二種類定められた抽選確率のうちいずれを特別図柄抽選に適用するかを決める特別図柄確率変動フラグと、特別図柄抽選によって大当り状態を発生させないという決定がされた際に、二種類定められた第一時間選択テーブルのうちいずれを適用するかを決める特別図柄変動時間短縮フラグと、二種類定められた抽選確率のうちいずれを普通図柄抽選に適用するかを決める普通図柄確率変動フラグと、普通図柄抽選によって前記開放動作させるという決定がされた際に、二種類定められた第二時間選択テーブルのうちいずれを適用するかを決める普通図柄変動時間短縮フラグと、二種類定められた時間のうちいずれを普通電動役物の開放時間に適用するかを決める開放延長機能作動フラグと、が定義されており、制御部は、各フラグのＯＮ／ＯＦＦの組み合せにより３２種類の遊技状態を出現させることが可能であって、その中から任意の遊技状態を選択的に出現させることを特徴とする。このようにすると、遊技状態のバリエーションが飛躍的に増えるので、従来にはない遊技状態の組み合せパターンを実現し、新規なゲーム性の弾球遊技機を提供することが可能になる。
また、特別図柄始動口と、普通図柄始動口と、特別図柄始動口を開放又は拡大させる普通電動役物と、特別図柄始動口に対する遊技球の入賞に応じて、大当り状態を発生させるか否かという特別図柄抽選を行うと共に、普通図柄始動口に対する遊技球の入賞に応じて、普通電動役物を開放動作させるか否かという普通図柄抽選を行う制御部と、特別図柄抽選が行われた後から計時される時間が第一時間に達した際に、制御部によって抽選結果の表示がなされる特別図柄表示部と、普通図柄抽選が行われた後から計時される時間が第二時間に達した際に、制御部によって抽選結果の表示がなされる普通図柄表示部とを備える弾球遊技機において、前記制御部には、少なくとも、二種類定められた抽選確率のうちいずれを特別図柄抽選に適用するかを決める特別図柄確率変動フラグと、特別図柄抽選によって大当り状態を発生させないという決定がされた際に、二種類定められた第一時間選択テーブルのうちいずれを適用するかを決める特別図柄変動時間短縮フラグと、二種類定められた抽選確率のうちいずれを普通図柄抽選に適用するかを決める普通図柄確率変動フラグと、普通図柄抽選によって前記開放動作させるという決定がされた際に、二種類定められた第二時間選択テーブルのうちいずれを適用するかを決める普通図柄変動時間短縮フラグと、二種類定められた時間のうちいずれを普通電動役物の開放時間に適用するかを決める開放延長機能作動フラグと、が定義されており、制御部は、普通図柄確率変動フラグ、普通図柄変動時間短縮フラグ及び開放延長機能作動フラグが、全てＯＮ、全てＯＦＦ以外の遊技状態を出現させることを特徴とする。このようにすると、従来にはない方法で始動口への入賞容易性を高くしたり、複数の入賞容易性を段階的に設定することが可能になるので、始動口への入賞容易性が高くなる遊技状態に変化を与えることができる。
また、前記制御部は、特別図柄確率変動フラグがＯＮ、特別図柄変動時間短縮フラグがＯＦＦ、普通図柄確率変動フラグがＯＮ、普通図柄変動時間短縮フラグがＯＦＦ、開放延長機能作動フラグがＯＦＦという組み合せからなる遊技状態を出現させることを特徴とする。このようにすると、普通図柄表示部における複数回の表示結果に基づいて遊技者が普通図柄抽選確率の解析を行うことができるので、特別図柄抽選に適用する抽選確率が通常時よりも高確率であることを遊技者が判断可能な新規な遊技状態を出現させることができる。そのため、弾球遊技機に攻略的な面白味を付加することが可能になる。
【発明の効果】
【０００７】
以上のような本発明によれば、遊技状態のバリエーションを飛躍的に増やすことにより、従来にはない遊技状態の組み合せパターンを実現可能にし、新規なゲーム性の弾球遊技機を提供することができる。
【発明を実施するための最良の形態】
【０００８】
［パチンコ遊技機の全体構成］
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、遊技球を用いたパチンコ遊技が可能になる。
【０００９】
パチンコ遊技機１の正面部は、遊技球が発射される遊技盤４と、その前方を覆う開閉自在なガラス枠５と、遊技球を貯留する上皿６と、上皿６の余剰球を貯留する下皿７と、遊技球の発射操作を行う発射ハンドル８と、台間玉貸機３に遊技球の貸出指示を行う貸出操作部９と、効果音を出力するスピーカ１０と、遊技者によって操作される演出用の操作スイッチＳとを備えており、また、パチンコ遊技機１の背面部は、払出用の遊技球を貯留する遊技球タンク１１と、遊技球タンク１１内の遊技球を上皿６に払い出す賞球払出装置１２と、遊技球を発射する発射モータ１３と、後述する各種の基板とを備えている。
【００１０】
図３に示すように、遊技盤４には、始動口（特別図柄始動口）１４、大入賞口１５、入賞口（図示せず）、ゲート（普通図柄始動口）Ｇ、アウト口１６、遊技釘１７などが配置されており、遊技盤４に発射された遊技球は、遊技釘１７によって各口１４〜１６、Ｇに誘導される。また、遊技盤４には、特別図柄表示装置（特別図柄表示部）１８、演出図柄表示装置１９、普通図柄表示装置２０等の表示装置が配置されている。特別図柄表示装置１８は、特別図柄を形式的に変動表示した後に特別図柄抽選の結果である特別図柄を停止表示する表示装置であり、例えば、７セグＬＥＤや複数のＬＥＤで構成される。演出図柄表示装置１９は、特別図柄に対応した演出図柄を変動表示する表示装置であり、例えば、液晶パネル、リールユニット、ドットマトリクスＬＥＤ表示器などで構成され、スーパーリーチ演出表示を含む演出図柄の変動表示や停止表示の他、リーチ予告演出表示、大当り演出表示などを行う。普通図柄表示装置２０は、普通図柄を変動表示した後に普通図柄抽選の結果である普通図柄を停止表示する表示装置であり、例えば、７セグＬＥＤや複数のＬＥＤで構成される。
【００１１】
［パチンコ遊技機の基本動作］
上皿６に遊技球が貯留された状態で発射ハンドル８を回し操作すると、遊技盤４に向けて遊技球が発射される。発射された遊技球が始動口１４や入賞口（図示せず）に入賞した場合は、所定個数の遊技球が賞球として払い出される。また、遊技球が始動口１４に入賞した場合は、所定の抽選確率で特別図柄抽選が行われと共に、抽選後から計時される時間が第一時間ＴＡ１に達した際に、特別図柄表示装置１８（演出図柄表示装置１９）にて抽選結果の表示がなされる。そして、抽選結果が当りの場合は、前記した抽選結果の表示後に大当り状態などの遊技者にとって有利な状態を出現させる。例えば、特別電動役物１５ａの開放動作により大入賞口１５をｎラウンド開放させ、遊技者に多くの遊技球を獲得させる。また、遊技球がゲートＧを通過したときは、所定の抽選確率で普通図柄抽選が行われと共に、抽選後から計時される時間が第二時間ＴＢ１に達した際に、普通図柄表示装置２０にて抽選結果の表示がなされる。そして、抽選結果が当りの場合は、前記した抽選結果の表示後に普通電動役物１４ａの開放動作により始動口１４の入口の大きさが拡がり、始動口１４への入賞が容易になる。
【００１２】
［パチンコ遊技機の基板構成］
次に、パチンコ遊技機１の基板構成について、図４を参照して説明する。この図に示すように、パチンコ遊技機１は、少なくとも主基板２１と、該主基板２１からのコマンドに応じて、演出処理などを行う周辺基板２２とを備えている。本実施形態の主基板２１は、主制御基板２３、払出制御基板２４及び発射モータ制御基板２５を備え、周辺基板２２は、演出図柄表示制御基板２６、音声制御基板２７及びランプ制御基板２８を備えている。なお、特許請求の範囲に記載の制御部は、上記した全ての基板２１〜２８を含む上位概念である。
【００１３】
払出制御基板２４には、玉切れスイッチ２９、払出センサ３０、払出モータ３１などが接続されており、主制御基板２３からの払出信号に応じて、遊技球の払い出しを行うほか、台間玉貸し機３からの貸出信号に応じて、遊技球の払い出しを行う。また、発射モータ制御基板２５には、発射スイッチ（ハンドル角センサ）３２、タッチセンサ３３、発射モータ１３などが接続されており、発射スイッチ３２及びタッチセンサ３３がＯＮのとき、発射モータ１３を駆動させる。つまり、遊技者が発射ハンドル８に触れると、タッチセンサ３３がＯＮとなり遊技球の発射が可能な状態になるようになっている。
【００１４】
主制御基板２３には、入賞口（図示せず）に対する遊技球の入賞を検出する入賞口スイッチＳＷ１、始動口１４に対する遊技球の入賞を検出する始動口スイッチＳＷ２、ゲートＧにおける遊技球の通過を検出するゲートスイッチＳＷ３、大入賞口１５に対する遊技球の入賞を検出する大入賞口スイッチＳＷ４などのセンサ類と、普通電動役物１４ａや特別電動役物１５ａを開閉動作させるソレノイドＳＯＬなどのアクチュエータ類と、特別図柄表示装置１８、普通図柄表示装置２０などの表示デバイス類とが接続されている。そして、主制御基板２３は、上記各スイッチＳＷ１〜ＳＷ４の検出信号に応じて、特別図柄抽選処理、特別図柄表示処理、特別電動役物動作処理、普通図柄抽選処理、普通図柄表示処理、普通電動役物動作処理、遊技状態切換処理、コマンド送信処理などを行うようになっている。
【００１５】
演出図柄表示制御基板２６には、演出図柄表示装置１９が接続されており、主制御基板２３からのコマンドに応じて、演出図柄表示装置１９に演出図柄を変動表示させる。また、演出図柄表示制御基板２６には、操作スイッチＳが接続されており、操作スイッチＳの操作に応じたスイッチ演出表示を行う。また、音声制御基板２７には、スピーカ１０が接続されており、主制御基板２３（又は演出図柄表示制御基板２６）からのコマンドに応じて、所定の演出音声をスピーカ１０から出音させる。また、ランプ制御基板２８には、発光表示ランプＬが接続されており、主制御基板２３（又は演出図柄表示制御基板２６）からのコマンドに応じて、発光表示ランプＬを点灯動作させる。
【００１６】
［特別図柄抽選処理］
次に、主制御基板２３が行う各種処理（特別図柄抽選処理、特別図柄表示処理、普通図柄抽選処理、普通図柄表示処理、普通電動役物動作処理、遊技状態切換処理）について順次説明する。主制御基板２３は、始動口１４に対する遊技球の入賞に応じて、大当り状態を発生させるか否か及び複数設定された大当りの種別を何にするかという特別図柄抽選に用いる数値（乱数値、カウンタ値）を取得し、取得した数値を設定された上限個数（本実施形態では、各４個）を限度として所定の記憶領域に記憶する。そして、各記憶領域に記憶された数値を記憶領域に記憶された順に読み出して、読み出した数値に基づいて特別図柄抽選を行い、次いで、抽選が終了した数値を記憶領域から削除していくようになっている。特別図柄抽選に適用する抽選確率は、二種類定められており、特別図柄確率変動機能によって、低確率と高確率との二段階に切り換えられるようになっている。なお、特別図柄確率変動機能がＯＮ状態の際に特別図柄抽選に適用する抽選確率が高確率になるようになっている。ここで、本実施形態では、高確率時は、低確率時よりも１０倍ほど当りやすくなるように当選確率が設定されるが（例えば、低確率＝１／３００、高確率＝１／３０）、当り易さにほとんど差がない確率設定であってもよい（例えば、低確率＝１／３００、高確率＝１／２９９）。しかしながら、当選の割合の方が不当選の割合よりも必ず少なくなるように設定されている。
【００１７】
［特別図柄表示処理］
主制御基板２３は、特別図柄抽選が行われた後から計時される時間が第一時間ＴＡ１（図柄変動表示時間）に達した際に、特別図柄抽選の抽選結果を特別図柄表示装置１８に表示させる。抽選後、特別図柄表示装置１８に抽選結果が表示されるまでの前記時間ＴＡ１は、特別図柄抽選の結果に基づいて複数設定されている時間の中から選択される時間となっている。また、抽選結果は、所定時間ＴＡ２（図柄停止表示時間）が経過するまで特別図柄表示装置１８に表示させる。つまり、一回の抽選に係る特別図柄表示装置１８の図柄表示時間ＴＡは、図柄変動表示時間であるＴＡ１と図柄停止表示時間であるＴＡ２とを加算した時間であり、これらの時間を主制御基板２３のタイマにより計時し、特別図柄表示装置１８の表示時間を管理するようになっている。ここで、特別図柄抽選によって大当り状態を発生させないという決定がされた際の第一時間ＴＡ１、つまりハズレ変動に係る第一時間ＴＡ１は、特別図柄変動時間短縮機能がＯＮ状態とＯＦＦ状態の場合とで選択される時間の選択率が異なるようになっている。以下、前記選択率について具体的に説明する。まず、主制御基板２３は、特別図柄の変動開始時に０〜９までの数値の中から一つを取得する。そして、主制御基板２３は取得した数値に対応した第一時間ＴＡ１を決定する。この第一時間ＴＡ１の決定には、第一時間選択テーブルが用いられる。この第一時間選択テーブルは、前記した０〜９までの数値に個別に対応して第一時間ＴＡ１が設定されている。例えば、ハズレ変動に係る第一時間ＴＡ１が、５秒、１０秒、１５秒、３０秒の中から選択されるものである場合について説明する。まず、特別図柄変動時間短縮機能がＯＦＦ状態において、選択された前記数値が０、１の際には第一時間ＴＡ１を５秒に、選択された前記数値が２、３、４の際には第一時間ＴＡ１を１０秒に、選択された前記数値が５、６、７の際には第一時間ＴＡ１を１５秒に、選択された前記数値が８、９の際には第一時間ＴＡ１を３０秒に、決定するようになっている。他方、特別図柄変動時間短縮機能がＯＮ状態において、選択された前記数値が０〜８の際には第一時間ＴＡ１を５秒に、選択された前記数値が９の際には第一時間ＴＡ１を３０秒に、決定するようになっている。つまり、特別図柄変動時間短縮機能がＯＦＦ状態における５秒の選択率は２０％、１０秒の選択率は３０％、１５秒の選択率は３０％、３０秒の選択率は２０％となっており、特別図柄変動時間短縮機能がＯＮ状態における５秒の選択率は９０％、１０秒の選択率は０％、１５秒の選択率は０％、３０秒の選択率は１０％となっている。そして、特別図柄変動時間短縮機能がＯＦＦ状態における特別図柄抽選によって大当り状態を発生させないという決定がされた際の平均第一時間ＴＡ１は１４．５秒となっており、特別図柄変動時間短縮機能がＯＮ状態における特別図柄抽選によって大当り状態を発生させないという決定がされた際の平均第一時間ＴＡ１は７．５秒となっている。このように前記選択率、つまり第一時間選択テーブルを特別図柄変動時間短縮機能がＯＮ状態とＯＦＦ状態とで異なるようにすることで、特別図柄の変動時間を総じて長くしたり短くしたりすることができるようになっている。なお、本発明は前記した数値、特別図柄変動時間、選択率に限定されるものではなく、特別図柄変動時間短縮機能がＯＦＦ状態時とＯＮ状態時とで、同一の前記した数値を選択した場合に決定される第一時間ＴＡ１と、平均特別図柄変動時間と、がそれぞれ異なるようになっていればよい。また、特別図柄抽選によって大当り状態を発生させるという決定がされた際に特別図柄変動時間短縮機能がＯＦＦ状態時とＯＮ状態時と異なる第一時間選択テーブルを用いても良いし、同一の第一時間選択テーブルを用いても良い。
【００１８】
［普通図柄抽選処理］
主制御基板２３は、ゲートＧにおける遊技球の通過に応じて、普通電動役物１４ａを開放動作させるか否かという普通図柄抽選に用いる数値（乱数値、カウンタ値）を取得し、取得した数値を設定された上限個数（本実施形態では、各４個）を限度として所定の記憶領域に記憶する。そして、各記憶領域に記憶された数値を記憶領域に記憶された順に読み出して、読み出した数値に基づいて普通図柄抽選を行い、次いで、抽選が終了した数値を記憶領域から削除していくようになっている。普通図柄抽選に適用する抽選確率は、二種類定められており、普通図柄確率変動機能によって、低確率と高確率との二段階に切り換えられるようになっている。なお、普通図柄確率変動機能がＯＮ状態の際に普通図柄抽選に適用する抽選確率が高確率になるようになっている。例えば、低確率時における普通図柄抽選の抽選確率を１／５、高確率時における普通図柄抽選の抽選確率を４／５とすることができる。
【００１９】
［普通図柄表示処理］
主制御基板２３は、普通図柄抽選が行われた後から計時される時間が第二時間ＴＢ１（図柄変動表示時間）に達した際に、普通図柄抽選の抽選結果を普通図柄表示装置２０に表示させる。また、抽選結果は、所定時間ＴＢ２（図柄停止表示時間）が経過するまで普通図柄表示装置２０に表示させる。つまり、一回の抽選に係る普通図柄表示装置２０の図柄表示時間ＴＢは、図柄変動表示時間であるＴＢ１と図柄停止表示時間であるＴＢ２とを加算した時間であり、これらの時間を主制御基板２３のタイマにより計時し、普通図柄表示装置２０の表示時間を管理するようになっている。ここで、普通図柄抽選によって前記開放動作させるという決定がされた際の前記第二時間ＴＢ１は、普通図柄変動時間短縮機能がＯＮ状態とＯＦＦ状態の場合とで選択される時間の選択率が異なるようになっている。以下、前記選択率について具体的に説明する。まず、主制御基板２３は、普通図柄の変動開始時に０〜９までの数値の中から一つを取得する。そして、主制御基板２３は取得した数値に対応した第二時間ＴＢ１を決定する。この第二時間ＴＢ１の決定には、第二時間選択テーブルが用いられる。この第二時間選択テーブルは、前記した０〜９までの数値に個別に対応して第二時間ＴＢ１が設定されている。例えば、普通図柄変動に係る第二時間ＴＢ１が、０．５秒、５秒の中から選択されるものである場合ついて説明する。まず、普通図柄変動時間短縮機能がＯＮ状態において、選択された前記数値が０〜９の際には第二時間ＴＢ１を０．５秒に決定するようになっている。他方、普通図柄変動時間短縮機能がＯＦＦ状態において、選択された前記数値が０〜９の際には第二時間ＴＢ１を５秒に決定するようになっている。つまり、普通図柄変動時間短縮機能がＯＦＦ状態における０．５秒の選択率が０％、５秒の選択率が１００％であり、普通図柄変動時間短縮機能がＯＮ状態における０．５秒の選択率が１００％、５秒の選択率が０％でとなっている。このように普通図柄抽選によって前記開放動作させるという決定がされた際の選択率、つまり第二時間選択テーブルを普通図柄変動時間短縮機能がＯＮ状態とＯＦＦ状態とで異なるようにすることで、普通図柄の変動時間を総じて長くしたり短くしたりすることができるようになっている。なお、本発明は前記した数値、普通図柄変動時間、選択率に限定されるものではなく、普通図柄抽選によって前記開放動作させるという決定がされた際に普通図柄変動時間短縮機能がＯＦＦ状態時とＯＮ状態時とで、同一の前記した数値を選択した場合に決定される第二時間ＴＡ１と、平均特別図柄変動時間と、がそれぞれ異なるようになっていればよい。また、普通図柄抽選によって前記開放動作をさせないという決定がされた際に普通図柄変動時間短縮機能がＯＦＦ状態時とＯＮ状態時とで異なる第二時間選択テーブルを用いても良いし、同一の第一時間選択テーブルを用いても良い。しかしながら、普通図柄抽選によって前記開放動作をさせないという決定がされた場合において、普通図柄変動時間短縮機能ＯＮ状態時の平均普通図柄変動時間をＯＦＦ状態時の平均普通図柄変動時間よりも短くすると、より効果的に普通図柄の変動時間を総じて長くしたり短くしたりすることができるようになっている。
【００２０】
［普通電動役物動作処理］
主制御基板２３は、普通図柄表示装置２０に当りの普通図柄を表示させた後、所定時間ＴＣが経過するまで普通電動役物１４ａを開放動作させる。普通電動役物１４ａの開放時間ＴＣは、二種類定められており、開放延長機能がＯＮ状態の際に時間が長い開放時間ＴＣを実行するようになっている。例えば、開放延長機能がＯＮ状態の際は、開放時間ＴＣが５秒程度であり、開放延長機能がＯＦＦ状態の際は、開放時間ＴＣが０．５秒程度となっている。なお、開放延長機能がＯＮ状態の際に普通電動役物の開放動作を複数回行わせて、開放時間ＴＣの総時間を開放延長機能がＯＦＦ状態の際よりも長く設定しても良い。
【００２１】
［遊技状態切換処理］
主制御部２３は、後述する遊技状態切替条件が成立した際に、遊技状態の切換えを行うようになっている。そして遊技状態の切換えは、各種機能フラグのＯＮ／ＯＦＦにより行われるようになっており、主制御部２３には、遊技状態の切換えを行うために、少なくとも下記のフラグが定義されている。
（１）二種類定められた抽選確率のうちいずれを特別図柄抽選に適用するかを決める特別図柄確率変動フラグ
（２）特別図柄抽選によって大当り状態を発生させないという決定がされた際に、二種類定められた時間のうちいずれを第一時間ＴＡ１に適用するかを決める特別図柄変動時間短縮フラグ
（３）二種類定められた抽選確率のうちいずれを普通図柄抽選に適用するかを決める普通図柄確率変動フラグ
（４）普通図柄抽選によって普通電動役物１４ａを開放動作させるという決定がされた際に、二種類定められた時間のうちいずれを第二時間ＴＢ１に適用するかを決める普通図柄変動時間短縮フラグ
（５）二種類定められた時間のうちいずれを普通電動役物１４ａの開放時間ＴＣに適用するかを決める開放延長機能作動フラグ
【００２２】
これにより、主制御基板２３は、図５に示すように、５つのフラグのＯＮ／ＯＦＦの組み合せにより３２種類の遊技状態を出現させることが可能であって、その中から任意の遊技状態を選択的に出現させるようになっている。すなわち、本発明のパチンコ遊技機１では、普通図柄に関する変更要素である普通図柄抽選確率、普通図柄変動時間及び普通電動役物開放時間を、従来のように一括で変更するのではなく、個別に変更することにより、遊技状態のバリエーションを飛躍的に増やしている。その結果、従来にはない遊技状態の組み合せパターンを実現し、新規なゲーム性のパチンコ遊技機１を提供することが可能になる。
【００２３】
主制御基板２３は、普通図柄確率変動フラグ、普通図柄変動時間短縮フラグ及び開放延長機能作動フラグが、全てＯＮ、全てＯＦＦ以外の遊技状態を出現させることが好ましい。具体的には、図５に示すＮｏ．３〜１４、１９〜３０の遊技状態であり、これらの遊技状態を選択又は組み合せると、従来にはない方法で始動口１４への入賞容易性を高くしたり、複数の入賞容易性を段階的に設定することが可能になるので、始動口１４への入賞容易性が高くなる遊技状態に変化を与えることができる。
【００２４】
さらに、主制御基板２３は、特別図柄確率変動フラグがＯＮ、特別図柄変動時間短縮フラグがＯＦＦ、普通図柄確率変動フラグがＯＮ、普通図柄変動時間短縮フラグがＯＦＦ、開放延長機能作動フラグがＯＦＦという組み合せからなる遊技状態（図５のＮｏ．８）を出現させることが好ましい。この遊技状態は、普通図柄表示装置２０における複数回の表示結果（抽選結果）に基づいて遊技者が普通図柄抽選確率の解析を行うことができるので、特別図柄抽選に適用する抽選確率が高確率であることを遊技者が判断可能な新規な遊技状態を出現させることができる。このような遊技状態を出現させることで、パチンコ遊技機１に攻略的な面白味を付加することができる。
【００２５】
つぎに、上記のような遊技状態切換処理を実現する具体的な処理手順について、図６を参照して説明する。この図に示すように、主制御基板２３が行う遊技状態切換処理では、まず、予め設定される複数の遊技状態切換条件のうち、いずれかの遊技状態切換条件が成立したか否かを判断する（Ｓ１）。なお、遊技状態切換条件は、例えば、大当り状態が開始したこと、大当り状態が終了したこと、及び所定回数の特別図柄抽選が行われたこととなっている。そして、この判断結果がＹＥＳの場合は、成立した遊技状態切換条件Ｘを取得する（Ｓ２）。次に、取得された遊技状態切換条件Ｘが、大当り状態が終了したことであるか否かを判断する（Ｓ３）。
そして、この判断結果がＹＥＳの場合は、該大当り状態における特別図柄抽選によって決定された大当りの種別Ｙを取得し（Ｓ４）、さらに、該大当り状態発生時の遊技状態Ｚを所得する（Ｓ５）。次いで、取得した大当りの種別Ｙと遊技状態Ｚに基づいて、３２種類の遊技状態から移行する遊技状態を取得する（Ｓ６）。
他方、前述のステップＳ３の判断結果がＮＯの場合は、遊技状態切換条件Ｘの成立時の遊技状態Ｚを取得する（Ｓ７）。次いで、取得した遊技状態切換条件Ｘと遊技状態Ｚに基づいて、３２種類の遊技状態から移行する遊技状態を取得する（Ｓ８）。
ここで、前述のステップＳ３〜ステップＳ８は、次に移行する遊技状態を取得された遊技状態Ｚに基づいて３２種類の遊技状態から選択する処理（以下、単に「遊技状態選択処理」という）となっている。
【００２６】
前述の遊技状態選択処理の後、各種遊技状態と各種機能のＯＮ／ＯＦＦを関連付けたテーブルを参照し、各種フラグのＯＮ／ＯＦＦ処理（セット／クリア処理）を行う。具体的には、選択した遊技状態における特別図柄確率変動機能のＯＮ／ＯＦＦを判断すると共に（Ｓ９）、該判断結果がＯＮの場合は、特別図柄確率変動フラグをＯＮにし（Ｓ１０）、判断結果がＯＦＦの場合は、特別図柄確率変動フラグをＯＦＦにする（Ｓ１１）。また、選択した遊技状態における特別図柄変動時間短縮機能のＯＮ／ＯＦＦを判断すると共に（Ｓ１２）、該判断結果がＯＮの場合は、特別図柄変動時間短縮フラグをＯＮにし（Ｓ１３）、判断結果がＯＦＦの場合は、特別図柄変動時間短縮フラグをＯＦＦにする（Ｓ１４）。また、選択した遊技状態における普通図柄確率変動機能のＯＮ／ＯＦＦを判断すると共に（Ｓ１５）、該判断結果がＯＮの場合は、普通図柄確率変動フラグをＯＮにし（Ｓ１６）、判断結果がＯＦＦの場合は、普通図柄確率変動フラグをＯＦＦにする（Ｓ１７）。また、選択した遊技状態における普通図柄変動時間短縮機能のＯＮ／ＯＦＦを判断すると共に（Ｓ１８）、該判断結果がＯＮの場合は、普通図柄変動時間短縮フラグをＯＮにし（Ｓ１９）、判断結果がＯＦＦの場合は、普通図柄変動時間短縮フラグをＯＦＦにする（Ｓ２０）。また、選択した遊技状態における普通電動役物１４ａの開放時間延長機能のＯＮ／ＯＦＦを判断すると共に（Ｓ２１）、該判断結果がＯＮの場合は、開放時間延長機能作動フラグをＯＮにし（Ｓ２２）、判断結果がＯＦＦの場合は、開放時間延長機能作動フラグをＯＦＦにする（Ｓ２３）。
【００２７】
叙述の如く構成された本実施形態によれば、始動口１４と、ゲートＧと、始動口１４を開放又は拡大させる普通電動役物１４ａと、始動口１４に対する遊技球の入賞に応じて、大当り状態を発生させるか否かという特別図柄抽選を行うと共に、ゲートＧに対する遊技球の入賞に応じて、普通電動役物１４ａを開放動作させるか否かという普通図柄抽選を行う主制御基板２３と、特別図柄抽選が行われた後から計時される時間が第一時間ＴＡ１に達した際に、主制御基板２３によって抽選結果の表示がなされる特別図柄表示装置１８と、普通図柄抽選が行われた後から計時される時間が第二時間ＴＢ１に達した際に、主制御基板２３によって抽選結果の表示がなされる普通図柄表示装置２０とを備えるパチンコ遊技機１において、前記制御部には、少なくとも、二種類定められた抽選確率のうちいずれを特別図柄抽選に適用するかを決める特別図柄確率変動フラグと、特別図柄抽選によって大当り状態を発生させないという決定がされた際に、二種類定められた第一時間選択テーブルのうちいずれを適用するかを決める特別図柄変動時間短縮フラグと、二種類定められた抽選確率のうちいずれを普通図柄抽選に適用するかを決める普通図柄確率変動フラグと、普通図柄抽選によって前記開放動作させるという決定がされた際に、二種類定められた第二時間選択テーブルのうちいずれを適用するかを決める普通図柄変動時間短縮フラグと、二種類定められた時間のうちいずれを普通電動役物の開放時間に適用するかを決める開放延長機能作動フラグと、が定義されており、主制御基板２３は、各フラグのＯＮ／ＯＦＦの組み合せにより３２種類の遊技状態を出現させることが可能であって、その中から任意の遊技状態を選択的に出現させるので、遊技状態のバリエーションを飛躍的に増すことができ、その結果、従来にはない遊技状態の組み合せパターンを実現し、新規なゲーム性のパチンコ遊技機１を提供することが可能になる。
【００２８】
また、主制御基板２３は、普通図柄確率変動フラグ、普通図柄変動時間短縮フラグ及び開放延長機能作動フラグが、全てＯＮ、全てＯＦＦ以外の遊技状態を出現させるので、従来にはない方法で始動口１４への入賞容易性を高くしたり、複数の入賞容易性を段階的に設定したりすることができ、その結果、始動口１４への入賞容易性が高くなる遊技状態に変化を与えることができる。
【００２９】
また、主制御基板２３は、特別図柄確率変動フラグがＯＮ、特別図柄変動時間短縮フラグがＯＦＦ、普通図柄確率変動フラグがＯＮ、普通図柄変動時間短縮フラグがＯＦＦ、開放延長機能作動フラグがＯＦＦという組み合せからなる遊技状態、すなわち、このようにすると、普通図柄表示装置２０における複数回の表示結果に基づいて遊技者が普通図柄抽選確率の解析を行うことができるので、特別図柄抽選に適用する抽選確率が通常時よりも高確率であることを遊技者が判断可能な新規な遊技状態を出現させることができる。これにより、パチンコ遊技機１に攻略的な面白味を付加することが可能になる。
【図面の簡単な説明】
【００３０】
【図１】パチンコ遊技機の正面図である。
【図２】パチンコ遊技機の背面図である。
【図３】遊技盤の正面図である。
【図４】パチンコ遊技機の基板構成を示すブロック図である。
【図５】各種遊技状態と各種機能との関係を示す表図である。
【図６】遊技状態切換処理のフローチャートである。
【符号の説明】
【００３１】
１      パチンコ遊技機
４      遊技盤
１４    始動口
１４ａ  普通電動役物
１８    特別図柄表示装置
１９    演出図柄表示装置
２０    普通図柄表示装置
２３    主制御基板
Ｇ      ゲート
【図１】
2008125582.tif 000003
【図２】
2008125582.tif 000004
【図３】
2008125582.tif 000005
【図４】
2008125582.tif 000006
【図５】
2008125582.tif 000007
【図６】
2008125582.tif 000008